(57)【要約】      （修正有）【課題】撮影者が複数の撮影パラメータを容易に調整可能な撮像装置及びその制御方法、並びにプログラムを提供する。【解決手段】撮像装置は、被写体を光学系を介して撮像する撮像手段により撮像することによって得られた被写体を示す画像信号に対して信号処理を行う撮像装置であって、被写体に応じて予め定められており、信号処理で用いられる複数の撮影パラメータに対して主成分分析することにより、複数の主成分得点、及び複数の固有ベクトルを算出する算出手段と、算出手段により算出された複数の主成分得点のうちのいくつかの主成分得点に対応する軸で構成される直交座標空間において、撮影者により指定された座標値、及び固有ベクトルから、信号処理で用いられる複数の撮影パラメータを生成する生成手段とを備える。【選択図】図４
2013005223.tif 000002
【特許請求の範囲】
【請求項１】
被写体を光学系を介して撮像する撮像手段により撮像することによって得られた前記被写体を示す画像信号に対して信号処理を行う撮像装置であって、
前記被写体に応じて予め定められており、前記信号処理で用いられる複数の撮影パラメータに対して主成分分析することにより、前記複数の主成分得点、及び前記複数の固有ベクトルを算出する算出手段と、
前記算出手段により算出された複数の主成分得点のうちのいくつかの主成分得点に対応する軸で構成される直交座標空間において、撮影者により指定された座標値、及び前記固有ベクトルから、前記信号処理で用いられる複数の撮影パラメータを生成する生成手段と
を備えたことを特徴とする撮像装置。
【請求項２】
前記被写体に応じて予め定められた複数の撮影パラメータを１つのクラスとして、複数のクラス分の前記複数の撮影パラメータが予め定められており、
前記生成手段は、前記クラスごとに前記信号処理で用いられる前記複数の撮影パラメータを生成することを特徴とする請求項１記載の撮像装置。
【請求項３】
前記直交座標空間を表示する表示手段をさらに備え、
前記生成手段は、前記表示手段により表示された直交座標空間において前記撮影者により示された位置を示す座標値を、前記撮影者により指定された前記座標値として前記信号処理で用いられる前記複数の撮影パラメータを生成することを特徴とする請求項１又は２記載の撮像装置。
【請求項４】
前記複数の撮影パラメータは、前記光学系及び前記撮像手段を制御するためのパラメータを含むことを特徴とする請求項１乃至３のいずれか１項に記載の撮像装置。
【請求項５】
被写体を光学系を介して撮像する撮像手段により撮像することによって得られた前記被写体を示す画像信号に対して信号処理を行う撮像装置の制御方法であって、
前記被写体に応じて予め定められており、前記信号処理で用いられる複数の撮影パラメータに対して主成分分析することにより、前記複数の主成分得点、及び前記複数の固有ベクトルを算出する算出ステップと、
前記算出ステップにより算出された複数の主成分得点のうちのいくつかの主成分得点に対応する軸で構成される直交座標空間において、撮影者により指定された座標値、及び前記固有ベクトルから、前記信号処理で用いられる複数の撮影パラメータを生成する生成ステップと
を備えたことを特徴とする制御方法。
【請求項６】
被写体を光学系を介して撮像する撮像手段により撮像することによって得られた前記被写体を示す画像信号に対して信号処理を行う撮像装置の制御方法をコンピュータに実行させるためのプログラムであって、
前記制御方法は、
前記被写体に応じて予め定められており、前記信号処理で用いられる複数の撮影パラメータに対して主成分分析することにより、前記複数の主成分得点、及び前記複数の固有ベクトルを算出する算出ステップと、
前記算出ステップにより算出された複数の主成分得点のうちのいくつかの主成分得点に対応する軸で構成される直交座標空間において、撮影者により指定された座標値、及び前記固有ベクトルから、前記信号処理で用いられる複数の撮影パラメータを生成する生成ステップと
を備えたことを特徴とするプログラム。
【発明の詳細な説明】
【技術分野】
【０００１】
本発明は、撮像装置及びその制御方法、並びにプログラムに関し、特に、撮影者が撮影パラメータを調整可能な撮像装置及びその制御方法、並びにプログラムに関する。
【背景技術】
【０００２】
従来、デジタルカメラに代表される撮像装置においては、ポートレイト、風景、夜景などの複数の撮影シーンに対応した撮影モードが設けられている。撮影者は被写体に対応する撮影モードを予め選択しておくことで、シャッタースピードや絞り、ホワイトバランス、γ係数、輪郭強調などの撮影パラメータを被写体に適した状態に設定出来る。
【０００３】
一方で、テレビに代表される表示装置においては、解像感などの画質調整項目のうちの２つの項目を縦軸横軸として、２次元の空間で表現し、２つの項目を同時に調整出来るようにした技術が提案されている（例えば、特許文献１参照）。この技術によれば、撮影者が簡単に画質の調整をすることが出来る。
【先行技術文献】
【特許文献】
【０００４】
【特許文献１】特開２００２−２１８４１３号公報
【発明の概要】
【発明が解決しようとする課題】
【０００５】
しかしながら、従来技術においては、選択出来る撮影モードには限りがあり、撮影シーンによっては、撮影者が望む撮影が実現できない課題がある。
【０００６】
例えば、ウィンタースポーツの撮影においては「雪」と「スポーツ」、夕景をバックに人物を撮影する際においては、「夕景」と「ポートレイト」といったように、撮影シーンによっては、複数の撮影モードを組み合わせた撮影が必要となる。
【０００７】
そこで、特許文献１に開示された技術を用いて、撮影シーンに合わせて、撮影モードの組合せの度合を調整することが考えられるが、特許文献１に開示された技術は、軸と調整される撮影パラメータが１対１の関係にある。そのため、撮影モード調整の対象となる複数の撮影パラメータを同時に調整することは困難である。
【０００８】
本発明の目的は、撮影者が複数の撮影パラメータを容易に調整可能な撮像装置及びその制御方法、並びにプログラムを提供することにある。
【課題を解決するための手段】
【０００９】
上記目的を達成するために、請求項１の撮像装置は、被写体を光学系を介して撮像する撮像手段により撮像することによって得られた前記被写体を示す画像信号に対して信号処理を行う撮像装置であって、前記被写体に応じて予め定められており、前記信号処理で用いられる複数の撮影パラメータに対して主成分分析することにより、前記複数の主成分得点、及び前記複数の固有ベクトルを算出する算出手段と、前記算出手段により算出された複数の主成分得点のうちのいくつかの主成分得点に対応する軸で構成される直交座標空間において、撮影者により指定された座標値、及び前記固有ベクトルから、前記信号処理で用いられる複数の撮影パラメータを生成する生成手段とを備えたことを特徴とする。
【発明の効果】
【００１０】
本発明によれば、撮影者が複数の撮影パラメータを容易に調整可能な撮像装置及びその制御方法、並びにプログラムを提供することができる。
【図面の簡単な説明】
【００１１】
【図１】本発明の実施の形態に係る撮像装置の概略構成を示す図である。
【図２】図１におけるモニタ１１０での表示内容を示す図であり、（ａ）は撮影モード選択画面を示し、（ｂ）は撮影モード調整画面を示す。
【図３】図１におけるシステム制御部により実行される撮影モード調整処理の手順を示すフローチャートである。
【図４】図１における撮影パラメータ生成部の概略構成を示す図である。
【図５】図４における演算パラメータデータベースに記憶されているテーブルの構造を示す図である。
【図６】ポートレイト、シネマ、夕景の各撮影モードで設定する撮影パラメータの値を示す図である。
【図７】図６に示される撮影パラメータに対して実施された各撮影モードの主成分得点を示す主成分分析結果を示す図である。
【図８】主成分毎の固有ベクトル値を示す主成分分析結果を示す図である。
【図９】第１主成分を横軸とし、第２主成分を縦軸とした２次元空間に、図７で示した夕景、ポートレイト、及びシネマの主成分得点をマッピングしたものである。
【図１０】クラスが異なる撮影モード調整画面を示す図である。
【発明を実施するための形態】
【００１２】
以下、本発明の実施の形態について図面を参照しながら詳述する。
【００１３】
図１は、本発明の実施の形態に係る撮像装置１００の概略構成を示す図である。
【００１４】
図１において、光学系１０１は、撮影パラメータ生成部１１１からの制御情報より、光学系駆動部１０２によって、絞り・フォーカス・ズームなどを制御して、被写体像を撮像素子１０３上に結像させる。
【００１５】
撮像素子１０３は、撮像素子駆動部１０４にて生成される駆動パルスで駆動され、被写体像を光電変換により電気信号に変換して画像信号として出力する。
【００１６】
画像信号は、カメラ信号処理部１０５に入力され、ホワイトバランスや輪郭強調、γ補正などのカメラ信号処理にて、画像データが生成され、画像メモリ１０６に書き込まれる。
【００１７】
記録部１０７は、画像メモリ１０６より画像データを読み出して、所定の圧縮方式で圧縮して、画像圧縮データを生成し、記録媒体１０８に記録する。なお、所定の圧縮方式とは、例えばＪＰＥＧ方式などがあり、ここでの画像圧縮データとはＪＰＥＧ画像のことを示す。
【００１８】
また、画像記録を行わず、モニタ１１０に画像を表示させたい場合は、表示部１０９が画像メモリ１０６に書き込まれた画像データを読み出して、モニタ１１０用に画像変換を行うことでモニタ用画像信号を生成する。モニタ１１０は、入力されたモニタ用画像信号を表示する。
【００１９】
ユーザインタフェース部１１３は、撮影者による操作内容をシステム制御部１１２に出力する。撮影者は、ユーザインタフェース部１１３を介して、撮像装置１００の撮影モードの切り替えや調整、モニタ１１０への表示内容の変更、その他各種設定に関する変更を指示する。
【００２０】
システム制御部１１２は、図示しないＣＰＵ、ＲＯＭ、ＲＡＭなどで構成され、撮像装置１００全体を制御する。ＲＯＭには、撮像装置１００を制御するための各種プログラムが記憶されている。例えばシステム制御部１１２は、ユーザインタフェース部１１３から出力された情報により、カメラ信号処理部１０５や記録部１０７、表示部１０９、撮影パラメータ生成部１１１の動作制御や、データの流れの制御を行う。
【００２１】
このように、本実施の形態に係る撮像装置１００は、被写体を光学系を介して撮像する撮像素子１０３（撮像手段）により撮像することによって得られた被写体を示す画像信号に対して信号処理を行う。また、本実施の形態では、撮像及び撮影が用いられるが、いずれも同じ意味であり、一般的な用法に従って使い分けている。
【００２２】
図２は、図１におけるモニタ１１０での表示内容を示す図であり、（ａ）は撮影モード選択画面を示し、（ｂ）は撮影モード調整画面を示す。
【００２３】
この図２を用いて、撮影モード選択時の制御について説明する。まず、撮影者が、ユーザインタフェース部１１３より、撮影モードの切り替えを指示する。この指示により、システム制御部１１２は、表示部１０９へ、図２（ａ）に示される撮影モード選択画面をモニタ１１０に表示するよう指示する。
【００２４】
図２（ａ）に示されるように、撮影モード選択画面には選択できる撮影モードの一覧が表示される。撮影者は、撮影したいシーンにあった撮影モード、または撮影したいシーンに近いと思われる撮影モードを選択する。
【００２５】
撮影者により撮影モードが選択されると、システム制御部１１２は、表示部１０９に撮影モード調整画面を表示するよう指示し、モニタ１１０には図２（ｂ）の画面が表示される。図２（ｂ）は、例として撮影モードに夕景を選択した場合の撮影モード調整画面である。
【００２６】
図２（ｂ）に示されるように、撮影モード調整画面は２次元の空間で表示され、横軸Ｘで画像の質感を調整することが可能であり、縦軸Ｙで被写体の有無を調整することが可能である。
【００２７】
調整に用いる軸の詳細については、後ほど説明する。また、撮影モード調整画面では、夕景、ポートレイト、及びシネマの２軸上の値が、各々制御目標値２０２，２０３，２０４として、マッピングされている。
【００２８】
そして、撮影パラメータ生成部１１１は、選択された撮影モードにおける撮影パラメータを光学系駆動部１０２、撮像素子駆動部１０４、カメラ信号処理部１０５に設定する。
【００２９】
このようにして、撮影モード選択時の制御が行われた後、撮影モード調整時の制御が行われる。
【００３０】
撮影者は、モニタ１１０に表示される図２（ｂ）に示される撮影モード調整画面を見ながら、ユーザインタフェース部１１３より、撮影モードの調整を行う。この調整では、撮影者指示ポイント２０１と、各撮影モードの制御目標値２０２、２０３、２０４が表示され、制御目標値を基準として、撮影モードの調整を行うことができる。
【００３１】
図３は、図１におけるシステム制御部１１２により実行される撮影モード調整処理の手順を示すフローチャートである。
【００３２】
図３において、撮影者がユーザインタフェース部１１３において撮影モードの調整が終了すると（ステップＳ１０１でＹＥＳ）、本処理を終了し、調整が終了しない限りは（ステップＳ１０１でＮＯ）、ステップＳ１０２に処理に移行する。
【００３３】
このときの調整方法としては、例えば、公知の技術であるタッチパネル方式にて、モニタ１１０に表示された２次元空間上に位置する、撮影者指示ポイント２０１に直接触れて、動かすような形で行われる。そして、撮影者より、ユーザインタフェース部１１３へ入力された調整値は、２次元空間の横軸Ｘの座標値ＵＸと縦軸Ｙの座標値ＵＹで表現される。この座標値ＵＹ，ＵＸの値が撮影パラメータ生成部１１１に入力されることとなる。
【００３４】
撮影者による撮影モードの調整がされないときは（ステップＳ１０２でＮＯ）、ステップＳ１０１に処理に戻る。
【００３５】
撮影者により撮影モードの調整が行われると（ステップＳ１０２でＹＥＳ）、ユーザインタフェース部１１３からの調整値に基づいてモニタ１１０に表示されている撮影者指示ポイント２０１の表示位置を座標値ＵＸ、ＵＹに合わせて更新する（ステップＳ１０３）。
【００３６】
そして、撮影パラメータ生成部１１１に調整値である座標値ＵＸ、ＵＹを入力する（ステップＳ１０４）。この調整値から撮影パラメータが撮影パラメータ生成部１１１により生成され、生成された撮影パラメータはカメラ信号処理部１０５に入力され（ステップＳ１０５）、ステップＳ１０１に戻る。
【００３７】
図４は、図１における撮影パラメータ生成部１１１の概略構成を示す図である。
【００３８】
図４に示されるように、撮影パラメータ生成部１１１は、撮影パラメータ再構築部４０１及び演算パラメータデータベース４０２で構成される。
【００３９】
撮影パラメータ再構築部４０１は、演算パラメータデータベース４０２に記憶されている演算パラメータを読み出し、ユーザインタフェース部１１３から入力される座標値（ＵＸ，ＵＹ）との演算処理によって、４つの撮影パラメータを生成する。なお、同図に示されるクラスについては後述する。
【００４０】
本実施の形態では、撮影パラメータの例として、アパーチャゲインＡＰＣ、γ係数ＧＡＭ、γダイナミックレンジＧＤＲ、及び色差信号ゲインＣＬＲを用いている。このうち、アパーチャゲインＡＰＣ（図ではアパーチャゲイン）は、画像信号の輪郭強調処理のパラメータである。γ係数ＧＡＭ（図ではγ係数）、及びγダイナミックレンジＧＤＲ（図ではγダイナミックレンジ）は、画像信号のγ補正のパラメータである。色差信号ゲインＣＬＲ（図では色差ゲイン）は、色差信号を調整するパラメータである。
【００４１】
なお、その他のカメラ信号処理の撮影パラメータ、及びシャッタースピードや絞りなどのカメラ信号処理以外の撮影パラメータも、同様の処理にて生成することが可能である。すなわち、撮影パラメータは、光学系１０１及び撮像素子１０３を制御するためのパラメータを含むようにしてもよい。
【００４２】
撮影パラメータ再構築部４０１で行われる計算処理は、式１で示される。
【００４３】
【数１】
2013005223.tif 000003
【００４４】
式１において、ｐ１１、ｐ１２、ｐ１３、ｐ１４は、ＵＸと乗算する演算パラメータで順にＡＰＣ、ＧＡＭ、ＧＤＲ、ＣＬＲに対応している。ｐ２１、ｐ２２、ｐ２３、ｐ２４は、ＵＹと乗算する演算パラメータで順にＡＰＣ、ＧＡＭ、ＧＤＲ、ＣＬＲに対応している。Ａ１、Ａ２、Ａ３、Ａ４はオフセット値で、上から順にＡＰＣ、ＧＡＭ、ＧＤＲ、ＣＬＲに対応している。
【００４５】
演算パラメータデータベース４０２には、上記ｐ１１、ｐ１２、ｐ１３、ｐ１４、ｐ２１、ｐ２２、ｐ２３、ｐ２４、Ａ１、Ａ２、Ａ３、Ａ４を１つのテーブルとして記憶されている。
【００４６】
図５は、図４における演算パラメータデータベースに記憶されているテーブルの構造を示す図である。
【００４７】
図５において、テーブルに示される演算パラメータは例としてマッピング空間Ａ〜Ｃの３つが示されているが、これに限らず複数の演算パラメータが記憶される。
【００４８】
テーブルにおけるアドレスは、その右横に示されるデータの格納アドレスを示している。
【００４９】
このテーブルを用いて、撮影パラメータ再構築部４０１は、システム制御部１１２から設定される撮影モードに応じて、演算パラメータデータベース４０２に記憶されている演算パラメータを切り替える。
【００５０】
以上の手順によって、生成されたアパーチャゲインＡＰＣ、γ係数ＧＡＭ、γダイナミックレンジＧＤＲ、色差信号ゲインＣＬＲの４つの撮影パラメータが生成される。
【００５１】
調整して生成された撮影パラメータによる画像データが、撮影者が撮影したいシーンに適した画となるまで調整処理は繰り返され、撮影者が調整終了を指示することで、撮影モードの調整は完了する。
【００５２】
なお、表示部１０９は、撮影モード選択時や撮影モード調整時において、撮影モード選択画面または撮影モード調整画面と、画像メモリ１０６に記憶された撮影画像データを同時に表示させる。これにより、撮影モード選択や調整による画像データの変化の様子を表示させることも可能である。
【００５３】
次に、ユーザインタフェース部１１３から入力された調整値にて、撮影パラメータを生成する手法について説明する。
【００５４】
上述したように、撮影モードで設定する撮影パラメータは多いので、撮影者が簡単に撮影モードを調整するには、多くの撮影パラメータをまとめて調整する軸が必要となる。
【００５５】
そこで、本実施の形態では、各撮影モードで設定する複数の撮影パラメータを入力として、多変量解析法の１つである主成分分析を実施し、複数の撮影パラメータの特性をまとめた合成パラメータである主成分を求める。そして、その主成分を軸として、複数の撮影パラメータをまとめて調整する。
【００５６】
図６は、ポートレイト、シネマ、夕景の各撮影モードで設定する撮影パラメータの値を示す図である。
【００５７】
図６において、撮影パラメータは、図４で説明したパラメータと同じである。これらの各値に対して、主成分分析を実施すると、第１主成分から第４主成分までの４つの主成分が求められる。そして、主成分毎で、固有ベクトルと、各撮影モードの主成分得点が求められる。
【００５８】
図７は、図６に示される撮影パラメータに対して実施された各撮影モードの主成分得点を示す主成分分析結果を示す図である。
【００５９】
図７に示されるように、第３主成分の主成分得点がほぼ０となっており、第４主成分の主成分得点が０となっている。
【００６０】
図８は、主成分毎の固有ベクトル値を示す主成分分析結果を示す図である。
【００６１】
上記図７に示された各撮影モードの主成分得点、及び図８に示された主成分毎の固有ベクトルから、各撮影モードでの撮影パラメータを再構築する計算式を式２に示す。
【００６２】
【数２】
2013005223.tif 000004
【００６３】
式２において、ＳＮは第Ｎ主成分の主成分得点を示し、ｖＮ１、ｖＮ２、ｖＮ３、ｖＮ４は第Ｎ主成分の固有ベクトルを示す。ＡＰＣａｖｇ、ＧＡＭａｖｇ、ＧＤＲａｂｇ、ＣＬＲａｖｇは、ＡＰＣ、ＧＡＭ、ＧＤＲ、ＣＬＲの各撮影モードにおける値の平均値を示す。
【００６４】
主成分得点Ｓ１、Ｓ２、Ｓ３、Ｓ４に、夕景、ポートレイト、シネマといった撮影モードの主成分得点を設定することで、その撮影モードにおける撮影パラメータが再構築出来る。
【００６５】
上述したように、図７の各撮影モードの主成分得点を見てみると、第３主成分は、ほぼ０であり、また第４主成分の主成分得点は０であるので、式２における、第３主成分や第４主成分の演算結果は、０と近似出来る。
【００６６】
よって、第１主成分と第２主成分の主成分得点と固有ベクトルにて、夕景、ポートレイト、及びシネマの各撮影パラメータを近似することが可能である。
【００６７】
図９は、第１主成分を横軸とし、第２主成分を縦軸とした２次元空間（直交座標空間）に、図７で示した夕景、ポートレイト、及びシネマの主成分得点をマッピングしたものである。
【００６８】
図９において、第１主成分得点を示す横軸は、夕景とシネマの絶対値が大きく、正負の関係にあるため、画の質感を示す軸となっている。一方、第２主成分を示す横軸は、ポートレイトと、夕景及びシネマの値が正負の関係にあることから、被写体の有無を示す軸となっている。
【００６９】
例えば、第１主成分の値をシネマの主成分得点に近づけるほど、シネマモードのように輪郭がぼやけ、フィルムのような質感が出る画となる。その一方で、夕景の主成分得点に近づけるほど輪郭がはっきりし、色鮮やかな画（指標としてデジタル的な画と定義）となる。また、第２主成分の値をポートレイトの主成分得点に近づけるほど、階調や色合いが人物などの被写体撮影に適した画となる。
【００７０】
以上より、本実施の形態では、第１主成分、及び第２主成分が持つ特性と、各撮影モードとの主成分得点を基準として、第１主成分、及び第２主成分の各々の値（Ｐ１、Ｐ２）を調整することで、複数の撮影パラメータをまとめて調整することが出来る。
【００７１】
なお、図２（ｂ）の撮影モード調整画面において、上記（Ｐ１、Ｐ２）が撮影者指示ポイント２０１の位置を示す座標値（ＵＸ、ＵＹ）である。また、夕景、ポートレイト、及びシネマの主成分得点が、制御目標値２０２，２０３，２０４である。
【００７２】
以上の説明から、結果として本実施の形態で用いられる撮影パラメータの生成式を式３に示す。
【００７３】
【数３】
2013005223.tif 000005
【００７４】
式３において、演算パラメータデータベース４０２に記憶されるテーブルデータは、主成分分析結果であるｖ１１、ｖ１２、ｖ１３、ｖ１４、ｖ２１、ｖ２２、ｖ２３、ｖ２４、ＡＰＣａｖｇ、ＧＡＭａｖｇ、ＧＤＲａｖｇ、ＣＬＲａｖｇである。なお、上述した式１とこの式３は、同じ計算式である。このように、本実施の形態に係る撮像装置１００に実装する撮影モードとその撮影パラメータ値に対して、予め主成分分析を行っておく。その主成分分析結果を演算パラメータデータベース４０２に記憶させておく。
【００７５】
このように、本実施の形態では、被写体に応じて予め定められており、信号処理で用いられる複数の撮影パラメータに対して主成分分析することにより、複数の主成分得点、及び前記複数の固有ベクトルを算出する。
【００７６】
そして、算出された複数の主成分得点のうちのいくつかの主成分得点に対応する軸で構成される直交座標空間において、撮影者により指定された座標値、及び固有ベクトルから、信号処理で用いられる複数の撮影パラメータを生成する。その結果、撮影者が複数の撮影パラメータを容易に調整可能となる。
【００７７】
このことから、撮影パラメータ生成部１１１は、算出手段及び生成手段に対応している。また、本実施の形態では、直交座標空間を表示するモニタ１１０（表示手段）をさらに備えている。そして、撮影パラメータ生成部１１１は、モニタ１１０により表示された直交座標空間において撮影者により示された位置を示す座標値（Ｐ１、Ｐ２）を、撮影者により指定された座標値（ＵＸ、ＵＹ）として信号処理で用いられる複数の撮影パラメータを生成する。
【００７８】
なお、撮影モードによっては、撮影パラメータの設定や種類が、異なるものも存在する。そこで全ての撮影モードを対象として主成分分析を実施すると、撮影パラメータを再構築するのに必要となる主成分数が増加することとなる。その場合、上記図９に示されるような２次元の空間にて、撮影モードを調整することが出来ない。
【００７９】
そこで、本実施の形態では、主成分分析を行う際に、撮影パラメータの特性が近しい撮影モード群を１つのクラスとして、複数のクラスに分類する。そして、クラス毎に主成分分析を実施することで、撮影パラメータを近似するのに必要となる主成分数を削減しやすくした。
【００８０】
図４における演算パラメータデータベース４０２には、クラス毎に主成分分析を行って得られたクラス毎の固有ベクトルと、各撮影パラメータの平均値を記憶しておく。そして、撮影パラメータ再構築部４０１は、選択された撮影モードが属するクラスの固有ベクトルと各撮影パラメータの平均値より、撮影パラメータの生成を行う。
【００８１】
図１０は、クラスが異なる撮影モード調整画面を示す図である。図１０（ａ）は、夕景モード選択時のシーン調整画面を示し、（ｂ）は、ビーチモード選択時のシーン調整画面を示している。
【００８２】
図１０に示されるように、撮影モード調整画面はクラス毎に用意される。表示部１０９は、選択された撮影モードが属するクラスの撮影モード調整画面をモニタ１１０に出力する。
【００８３】
なお、分類するクラスを決定するには、例えば、撮影モードの組合せを変えて、主成分分析を実施する。そして、その分析結果により、２つの観点からクラスを決定する。まず１つ目の観点は、第１主成分及び第２主成分のみで撮影モード毎の撮影パラメータが近似可能であるか否かという観点である。２つ目の観点は、第１主成分及び第２主成分が示す特徴が撮影者が直感的に理解できる指標となっているか否かという観点である。
【００８４】
以上の構成と制御によって、本実施の形態に係る撮像装置１００は、複数の撮影パラメータを２次元に縮退させた撮影モード調整を実現する。このように、本実施の形態では、被写体に応じて予め定められた複数の撮影パラメータを１つのクラスとして、複数のクラス分の前記複数の撮影パラメータが予め定められている。そして、撮影パラメータ生成部１１１は、クラスごとに信号処理で用いられる複数の撮影パラメータを生成する。
【００８５】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８６】
１００  撮像装置
１０２  光学系駆動部
１０３  撮像素子
１０４  撮像素子駆動部
１０５  カメラ信号処理部
１０６  画像メモリ
１０９  表示部
１１０  モニタ
１１１  撮影パラメータ生成部
１１２  システム制御部
１１３  ユーザインタフェース部
４０１  撮影パラメータ再構築部
４０２  演算パラメータデータベース
【図１】
2013005223.tif 000006
【図２】
2013005223.tif 000007
【図３】
2013005223.tif 000008
【図４】
2013005223.tif 000009
【図５】
2013005223.tif 000010
【図６】
2013005223.tif 000011
【図７】
2013005223.tif 000012
【図８】
2013005223.tif 000013
【図９】
2013005223.tif 000014
【図１０】
2013005223.tif 000015